(57)【要約】【課題】  プレイリストに登録した曲と同じ曲をプリセットにも登録する際のユーザ操作を簡便化することができるリスト登録装置を提供すること。【解決手段】  リスト登録装置は、選択された曲がプレイリストに登録された後、同じ曲がプリセットにも登録される処理が所定回数以上連続するか否かを判断する。デフォルトでは、完了画面が表示されているときに、所定のユーザ操作が実行されると、曲リスト画面に戻る。プレイリストへの登録の完了画面が表示されているときに所定のユーザ操作が実行された場合、選択された曲がプレイリストに登録された後、同じ曲がプリセットにも登録される処理が所定回数以上連続すると判断されると、曲リスト画面ではなく、メニュー画面に戻る。【選択図】図４
2011160248.tif 000002
【特許請求の範囲】
【請求項１】
コンテンツリスト画面を表示し、前記コンテンツリスト画面からコンテンツが選択され、メニュー画面を表示する指示が入力されると、選択されたコンテンツに関するメニュー画面を表示し、前記メニュー画面において、第１リストに登録する指示が入力されると、選択されたコンテンツを前記第１リストに登録し、前記第１リストに登録したことを告知する第１完了画面を表示し、その後、前記メニュー画面ではなく、前記コンテンツリスト画面に戻り、
前記メニュー画面において、第２リストに登録する指示が入力されると、選択されたコンテンツを前記第２リストに登録し、前記第２リストに登録したことを告知する第２完了画面を表示し、その後、前記メニュー画面ではなく、前記コンテンツリスト画面に戻るリスト登録装置であって、
選択されたコンテンツが前記第１リストに登録された後、同じコンテンツが前記第２リストにも登録される処理が所定回数以上連続するか否かを判断する判断手段と、
選択されたコンテンツが前記第１リストに登録された後、同じコンテンツが前記第２リストにも登録される処理が所定回数以上連続すると判断されると、前記第１完了画面が表示された後に、前記コンテンツリスト画面ではなく、前記メニュー画面を表示する画面遷移手段とを備える、リスト登録装置。
【請求項２】
前記画面遷移手段が、選択されたコンテンツが前記第１リストに登録された後、同じコンテンツが前記第２リストにも登録される処理が所定回数以上連続すると判断されると、前記第１完了画面が表示された後に、前記コンテンツリスト画面ではなく、前記メニュー画面を表示し、かつ、前記メニュー画面において、前記第２リストに登録する旨を自動的に選択する、請求項１に記載のリスト登録装置。
【請求項３】
前記判断手段が、選択されたコンテンツが前記第２リストに登録された後、同じコンテンツが前記第１リストにも登録される処理が所定回数以上連続するか否かをさらに判断し、
前記画面遷移手段が、選択されたコンテンツが前記第２リストに登録された後、同じコンテンツが前記第１リストにも登録される処理が所定回数以上連続すると判断されると、前記第２完了画面が表示された後に、前記コンテンツリスト画面ではなく、前記メニュー画面を表示する、請求項１または２に記載のリスト登録装置。
【請求項４】
前記判断手段が、選択されたコンテンツが前記第１リストに登録された後、同じコンテンツが前記第２リストにも登録される処理が所定回数以上連続する状態と、選択されたコンテンツが前記第２リストに登録された後、同じコンテンツが前記第１リストにも登録される処理が所定回数以上連続する状態とのうち、選択されたコンテンツが前記第１リストに登録された後、同じコンテンツが前記第２リストにも登録される処理が所定回数以上連続する状態の方が直近に生じている場合には、選択されたコンテンツが前記第１リストに登録された後、同じコンテンツが前記第２リストにも登録される処理が所定回数以上連続すると判断し、選択されたコンテンツが前記第２リストに登録された後、同じコンテンツが前記第１リストにも登録される処理が所定回数以上連続する状態の方が直近に生じている場合には、選択されたコンテンツが前記第２リストに登録された後、同じコンテンツが前記第１リストにも登録される処理が所定回数以上連続すると判断する、請求項３に記載のリスト登録装置。
【請求項５】
コンテンツリスト画面を表示し、前記コンテンツリスト画面からコンテンツが選択され、メニュー画面を表示する指示が入力されると、選択されたコンテンツに関するメニュー画面を表示し、前記メニュー画面において、リストに登録する指示が入力されると、選択されたコンテンツを前記リストに登録し、前記リストに登録したことを告知する完了画面を表示し、その後、前記コンテンツリスト画面ではなく、前記メニュー画面に戻るリスト登録装置であって、
選択されたコンテンツが前記リストに登録された後、前記コンテンツリスト画面から他のコンテンツが選択され、前記リストに登録される処理が所定回数以上連続するか否かを判断する判断手段と、
選択されたコンテンツが前記リストに登録された後、前記コンテンツリスト画面から他のコンテンツが選択され、前記リストに登録される処理が所定回数以上連続すると判断されると、前記完了画面が表示された後、前記メニュー画面ではなく前記コンテンツリスト画面を表示する画面遷移手段とを備える、リスト登録装置。
【請求項６】
請求項１〜５のいずれかに記載のリスト登録装置の各手段をコンピュータに実行させる、リスト登録プログラム。
【発明の詳細な説明】
【技術分野】
【０００１】
本発明は、選択されたコンテンツをリストに登録するリスト登録装置に関する。
【背景技術】
【０００２】
ＡＶアンプは、インターネットラジオ端末としての機能を備え、インターネットラジオサーバからインターネット経由でコンテンツデータ（曲データ）をストリーミング形式で取得し、再生することができる。図２の（ａ）に示すように、ＡＶアンプは、曲リストをサーバから取得し表示装置に表示することができ、ユーザは再生すべき所望の曲を曲リストの中から選択する。一方、曲リストにおいて曲名（図２（ａ）ではトラックＣ）が選択された状態で、ユーザ操作によってリモコンのメニューキーが操作されると、選択された曲について実行できる処理名の一覧であるメニュー画面が表示される（図２（ｂ）参照）。メニュー画面には、１．プレイリストに追加、２．似たトラックで自動リスト、３．似たアーティストで自動リスト、４．プリセットに登録、５．プリセットからはずす、６．戻る、等が存在する。
【０００３】
メニュー画面で「１．プレイリストに登録」が選択され、リモコンのエンターキーが操作されると、選択された曲（詳細には、曲名、アーティスト名や、曲のサーバにおける位置情報等）がプレイリストに登録される。プレイリストとは、ユーザが所望の曲を登録しておくためのリストであり、プレイリストに曲を登録しておくことで、ユーザは所望の曲をプレイリストから直ぐに探し出すことができる。プレイリストへの曲の登録が完了すると、図２（ｃ）に示す完了画面が表示される。完了画面において、ユーザ操作によって「ＯＫ」ボタンが選択され、リモコンのエンターキー又はリターンキーが操作されると、図２（ａ）の曲リスト画面に戻る。ここで、（ｃ）の完了画面の後に、（ａ）の曲リスト画面に戻るのは、ユーザが（ａ）の曲リストの中から曲を選択し、プレイリストに登録する場合には、連続的に複数の曲をプレイリストに登録することが多いと考えられるので、（ａ）の曲リスト画面に戻る方が利便性がよいと考えられるからである。
【０００４】
しかし、この場合に、ユーザが、（ａ）の曲リスト画面で曲を選択し、選択した曲をプレイリストに登録した後に、同じ曲をプリセットにも登録することを希望する場合、図３（ａ）に示すように曲リスト画面において、再度同じ曲を選択し、メニューキーを操作し、図３（ｂ）のメニュー画面を表示させる。そして、メニュー画面において、「４．プリセットに登録」が選択され、リモコンのエンターキーが操作されると、選択された曲がプリセットにも登録され、図３（ｃ）のような完了画面が表示される。ここで、プリセットとは、プレイリストと同様にユーザが所望の曲を登録しておくためのリスト（プリセットには曲の他に、サーバ名等も含まれる）であり、プリセットに曲を登録しておくことで、ユーザは所望の曲をプリセットから直ぐに探し出すことができる。
【０００５】
以上のように、曲リスト画面において選択され曲をプレイリストおよびプリセットの両方に登録する場合であっても、プレイリストに曲を登録後に、（ａ）の曲リスト画面に戻るので、再度曲リストから同じ曲を選択し、メニューキーを操作する必要があり、その処理が煩雑である。曲リスト画面で曲が選択され、最初にプリセットに登録された後に、同じ曲がプレイリストに登録される場合も同様の問題が生じる。
【０００６】
一方、図１２に示すように、（ａ）曲リスト画面で曲が選択されメニューキーが操作され、（ｂ）メニュー画面が表示され、「１．プレイリストに追加」が選択されエンターキーが操作され、選択された曲がプレイリストに登録され、（ｃ）完了画面が表示された後、エンターキー又はリターンキーが操作されたとき、（ａ）曲リスト画面ではなく、（ｂ）メニュー画面に戻るようにすることが考えられる。この場合には、メニュー画面で選択された曲がプレイリストに登録された後に、同じ曲をプリセットにも登録する場合に、直接メニュー画面が表示されるので、ユーザは直ぐにメニュー画面においてプリセットに登録を選択し、エンターキーを操作することができるので、操作が非常に簡便になる。
【０００７】
しかし、この場合において、ユーザがメニュー画面で曲を選択しプレイリストに登録した後、異なる曲をプレイリストに登録する処理を繰り返したい場合には、プレイリストに登録した曲と同じ曲のメニュー画面が直接表示されてしまうので、一度リターンキーを操作し、（ａ）の曲リスト画面を表示させる必要が生じ、その操作が非常に煩雑になる。なお、曲リストから連続的に曲を選択しプリセットに登録する処理を実行する際や、プレイリストから連続的に曲を選択し、プレイリストから削除する場合も同様である。
【先行技術文献】
【特許文献】
【０００８】
【特許文献１】特開２００３−２２６５５号公報
【発明の概要】
【発明が解決しようとする課題】
【０００９】
本発明の１つの目的は、コンテンツリスト画面を表示し、コンテンツリスト画面からコンテンツが選択されメニュー画面を表示する指示が入力されると、選択されたコンテンツに関するメニュー画面を表示し、第１リストに登録する指示が入力されると、選択されたコンテンツを第１リストに登録し、その後、コンテンツリスト画面を再度表示するリスト登録装置において、第１リストに登録したコンテンツと同じコンテンツを第２リストに登録する際のユーザ操作を簡便化することができるリスト登録装置を提供することである。
【００１０】
本発明の他の目的は、コンテンツリスト画面を表示し、コンテンツリスト画面からコンテンツが選択されメニュー画面を表示する指示が入力されると、選択されたコンテンツに関するメニュー画面を表示し、リストに登録する指示が入力されると、選択されたコンテンツをリストに登録し、その後、選択されたコンテンツに関するメニュー画面を再度表示するリスト登録装置において、異なるコンテンツをリストに連続的に登録する際のユーザ操作を簡便化することができるリスト登録装置を提供することである。
【課題を解決するための手段】
【００１１】
本発明の好ましい実施形態によるリスト登録装置は、コンテンツリスト画面を表示し、前記コンテンツリスト画面からコンテンツが選択され、メニュー画面を表示する指示が入力されると、選択されたコンテンツに関するメニュー画面を表示し、前記メニュー画面において、第１リストに登録する指示が入力されると、選択されたコンテンツを前記第１リストに登録し、前記第１リストに登録したことを告知する第１完了画面を表示し、その後、前記メニュー画面ではなく、前記コンテンツリスト画面に戻り、前記メニュー画面において、第２リストに登録する指示が入力されると、選択されたコンテンツを前記第２リストに登録し、前記第２リストに登録したことを告知する第２完了画面を表示し、その後、前記メニュー画面ではなく、前記コンテンツリスト画面に戻るリスト登録装置であって、選択されたコンテンツが前記第１リストに登録された後、同じコンテンツが前記第２リストにも登録される処理が所定回数以上連続するか否かを判断する判断手段と、選択されたコンテンツが前記第１リストに登録された後、同じコンテンツが前記第２リストにも登録される処理が所定回数以上連続すると判断されると、前記第１完了画面が表示された後に、前記コンテンツリスト画面ではなく、前記メニュー画面を表示する画面遷移手段とを備える。
【００１２】
選択されたコンテンツが第１リストに登録された後、同じコンテンツが第２リストにも登録される処理が所定回数以上連続する場合には、今回の処理においても、選択されたコンテンツが第１リストに登録された後、同じコンテンツが第２リストにも登録されると考えられる。従って、第１完了画面の後に、メニュー画面ではなく、コンテンツリスト画面に戻ることによって、ユーザ操作を簡便化することができる。特に限定されないが、第１リストはプレイリストであり、第２リストはプリセットである。または、第１リストはプリセットであり、第２リストはプレイリストである。または、第１リスト、第２リスト共にプレイリスト、又は、プリセットの一方でもよい。
【００１３】
好ましい実施形態においては、前記画面遷移手段が、選択されたコンテンツが前記第１リストに登録された後、同じコンテンツが前記第２リストにも登録される処理が所定回数以上連続すると判断されると、前記第１完了画面が表示された後に、前記コンテンツリスト画面ではなく、前記メニュー画面を表示し、かつ、前記メニュー画面において、前記第２リストに登録する旨を自動的に選択する。
【００１４】
この場合、ユーザ操作によって、メニュー画面において、第２リストに登録する旨の項目を選択する必要がないので、ユーザ操作をさらに簡便化できる。
【００１５】
好ましい実施形態においては、前記判断手段が、選択されたコンテンツが前記第２リストに登録された後、同じコンテンツが前記第１リストにも登録される処理が所定回数以上連続するか否かをさらに判断し、前記画面遷移手段が、選択されたコンテンツが前記第２リストに登録された後、同じコンテンツが前記第１リストにも登録される処理が所定回数以上連続すると判断されると、前記第２完了画面が表示された後に、前記コンテンツリスト画面ではなく、前記メニュー画面を表示する。
【００１６】
選択されたコンテンツが第２リストに登録された後、同じコンテンツが第１リストにも登録される処理が所定回数以上連続する場合には、今回の処理においても、選択されたコンテンツが第２リストに登録された後、同じコンテンツが第１リストにも登録されると考えられる。従って、第２完了画面の後に、メニュー画面ではなく、コンテンツリスト画面に戻ることによって、ユーザ操作を簡便化することができる。
【００１７】
好ましい実施形態においては、前記判断手段が、選択されたコンテンツが前記第１リストに登録された後、同じコンテンツが前記第２リストにも登録される処理が所定回数以上連続する状態と、選択されたコンテンツが前記第２リストに登録された後、同じコンテンツが前記第１リストにも登録される処理が所定回数以上連続する状態とのうち、選択されたコンテンツが前記第１リストに登録された後、同じコンテンツが前記第２リストにも登録される処理が所定回数以上連続する状態の方が直近に生じている場合には、選択されたコンテンツが前記第１リストに登録された後、同じコンテンツが前記第２リストにも登録される処理が所定回数以上連続すると判断し、選択されたコンテンツが前記第２リストに登録された後、同じコンテンツが前記第１リストにも登録される処理が所定回数以上連続する状態の方が直近に生じている場合には、選択されたコンテンツが前記第２リストに登録された後、同じコンテンツが前記第１リストにも登録される処理が所定回数以上連続すると判断する。
【００１８】
本発明の別の好ましい実施形態によるリスト登録装置は、コンテンツリスト画面を表示し、前記コンテンツリスト画面からコンテンツが選択され、メニュー画面を表示する指示が入力されると、選択されたコンテンツに関するメニュー画面を表示し、前記メニュー画面において、リストに登録する指示が入力されると、選択されたコンテンツを前記リストに登録し、前記リストに登録したことを告知する完了画面を表示し、その後、前記コンテンツリスト画面ではなく、前記メニュー画面に戻るリスト登録装置であって、選択されたコンテンツが前記リストに登録された後、前記コンテンツリスト画面から他のコンテンツが選択され、前記リストに登録される処理が所定回数以上連続するか否かを判断する判断手段と、選択されたコンテンツが前記リストに登録された後、前記コンテンツリスト画面から他のコンテンツが選択され、前記リストに登録される処理が所定回数以上連続すると判断されると、前記完了画面が表示された後、前記メニュー画面ではなく前記コンテンツリスト画面を表示する画面遷移手段とを備える。
【００１９】
選択されたコンテンツがリストに登録された後、コンテンツリスト画面から他のコンテンツが選択され、リストに登録される処理が所定回数以上連続する場合には、今回の処理においても、選択されたコンテンツがリストに登録された後、コンテンツリスト画面から他のコンテンツが選択され、リストに登録されると考えられる。従って、完了画面の後、メニュー画面ではなく、コンテンツリスト画面に戻ることによって、ユーザ操作を簡便化することができる。特に限定されないが、リストは、プレイリスト又はプリセットである。
【発明の効果】
【００２０】
コンテンツリスト画面を表示し、コンテンツリスト画面からコンテンツが選択されメニュー画面を表示する指示が入力されると、選択されたコンテンツに関するメニュー画面を表示し、第１リストに登録する指示が入力されると、選択されたコンテンツを第１リストに登録し、その後、コンテンツリスト画面を再度表示するリスト登録装置において、第１リストに登録したコンテンツと同じコンテンツを第２リストに登録する際のユーザ操作を簡便化することができるリスト登録装置を提供することができる。
【００２１】
また、コンテンツリスト画面を表示し、コンテンツリスト画面からコンテンツが選択されメニュー画面を表示する指示が入力されると、選択されたコンテンツに関するメニュー画面を表示し、リストに登録する指示が入力されると、選択されたコンテンツをリストに登録し、その後、選択されたコンテンツに関するメニュー画面を再度表示するリスト登録装置において、異なるコンテンツをリストに連続的に登録する際のユーザ操作を簡便化することができるリスト登録装置を提供することができる。
【図面の簡単な説明】
【００２２】
【図１】本発明の好ましい実施形態によるＡＶアンプを示すブロック図である。
【図２】デフォルトの画面の遷移を示す図である。
【図３】デフォルトの画面の遷移を示す図である。
【図４】本発明が適用された場合の画面の遷移を示す図である。
【図５】本発明が適用された場合の画面の遷移を示す図である。
【図６Ａ】タイプＡの履歴ファイルを示す図である。
【図６Ｂ】タイプＡの履歴ファイルを示す図である。
【図６Ｃ】タイプＢの履歴ファイルを示す図である。
【図６Ｄ】タイプＢの履歴ファイルを示す図である。
【図７】制御部２の処理を示すフローチャートである。
【図８】制御部２の処理を示すフローチャートである。
【図９】制御部２の処理を示すフローチャートである。
【図１０】制御部２の処理を示すフローチャートである。
【図１１】制御部２の処理を示すフローチャートである。
【図１２】デフォルトの画面の遷移を示す図である。
【図１３】本発明が適用された場合の画面の遷移を示す図である。
【図１４】履歴ファイルを示す図である。
【図１５】制御部２の処理を示すフローチャートである。
【図１６】制御部２の処理を示すフローチャートである。
【発明を実施するための形態】
【００２３】
以下、本発明の好ましい実施形態について、図面を参照して具体的に説明するが、本発明はこれらの実施形態には限定されない。図１に示すように、本発明の好ましい実施形態によるリスト登録装置が適用されるＡＶアンプ１は、インターネット等の任意の電気通信回線を経由して、インターネットラジオサーバ（以下、サーバという。）１０に接続可能である。ＡＶアンプ１は、サーバ１０からコンテンツデータを例えばストリーミング形式で取得し、再生する。コンテンツデータは、曲（音楽）データ、映像データ、画像データ等の総称であるが、本例では曲データ（曲ファイル）である。ＡＶアンプ１は、サーバ１０が蓄積する曲の一覧である曲リストをサーバ１０から受信し、表示部に表示させる。ユーザ操作によって曲リストから曲が選択されると、ＡＶアンプ１は、サーバ１０から曲データを要求、取得し、再生する。
【００２４】
ＡＶアンプ１は、制御部２、ＲＯＭ及びＲＡＭ等のメモリ３、再生部４、増幅部５、操作部６、表示部７および通信部８を備える。制御部２は、ＡＶアンプ１の各部を制御するものであり、マイコンやＣＰＵ等である。制御部２は、ＲＯＭに格納されているリスト登録プログラムをＲＡＭに読み出して実行することにより、後述するリスト登録処理を実行する。
【００２５】
再生部４は、サーバ１０からストリーミング形式で受信した曲ファイルを再生する。再生とは、デコード処理、Ｄ／Ａ変換処理等である。増幅部５は、再生部４によって再生された曲ファイルの音声信号に対して音量調整処理や増幅処理を実行し、外部に接続された図示しないスピーカーに音声信号を供給する。
【００２６】
操作部６は、ユーザ操作を受け付けるものであり、ＡＶアンプ１のフロントパネルに設けられた操作ボタンやリモコン等である。操作部６には、カーソル（アップ、ダウン）キー、メニューキー、エンターキー、リターンキー等が設けられている。
【００２７】
表示部７は、図２、図３等に示すような、曲リスト画面、メニュー画面、および、完了画面などを表示するものであり、ＬＣＤ等である。表示部７は、外部に接続されるディスプレイ装置にこれらの画面をＯＳＤ（オンスクリーンディスプレイ）表示するものでもよい。
【００２８】
通信部８は、インターネット経由でサーバ１０と通信するものであり、サーバ１０に曲リストや曲ファイルの要求を送信し、サーバ１０から曲リストや曲ファイルを受信する。
【００２９】
図２は、デフォルト状態における、曲リスト画面、メニュー画面および完了画面の遷移を示す図である。（ａ）は曲リスト画面でありサーバ１０から取得された曲リストのうちの少なくとも一部が表示されている。曲リストには、サーバ１０から取得可能な曲の曲情報（曲名、アーティスト名、アルバム名等、図では曲名）が含まれている。ユーザ操作によって所望の曲が選択され（例えば、カーソルがあてられ、以下同様。）、リモコンの再生ボタンが操作されると、選択された曲がサーバ１０から取得され、再生される。
【００３０】
曲リスト画面において曲名（図２（ａ）ではトラックＣ）が選択され、ユーザ操作によってリモコンのメニューキーが操作されると、図２（ｂ）に示すように、選択された曲について実行できる処理名の一覧であるメニュー画面が表示される。メニュー画面には、例えば、１．プレイリストに追加、２．似たトラックで自動リスト、３．似たアーティストで自動リスト、４．プリセットに登録、５．プリセットからはずす、６．戻る、等が存在する。この中で、本発明にとって重要である項目について詳述する。「１．プレイリストに追加」とは、プレイリスト（第１リストに相当。）に所望の曲を曲リストから選択して登録する処理である。プレイリストに曲を登録しておくことで、ユーザは所望の曲をプレイリストの中から直ぐに探し出すことができる。「４．プリセットに登録」とは、プリセット（第２リストに相当。）に所望の曲を曲リストから選択して登録する処理である。プリセットに曲を登録しておくことで、ユーザは所望の曲をプリセットの中から直ぐに探し出すことができる。「５．プリセットからはずす」とは、プリセットから曲を削除する処理である。
【００３１】
メニュー画面で「１．プレイリストに追加」が選択され、リモコンのエンターキーが操作されると、選択された曲（詳細には、曲名、アーティスト名、アルバム名等の曲情報や、曲のサーバにおける位置情報等）がプレイリストに登録される。プレイリストへの曲の登録が完了すると、図２（ｃ）に示すように完了画面が表示される。完了画面は、プレイリストへの曲の登録が完了したことをユーザに告知する画面である。完了画面において、ユーザ操作によって「ＯＫ」ボタンが選択され、リモコンのエンターキー又はリターンキーが操作されると、図２（ａ）の曲リスト画面に戻る。ここで、（ｃ）の完了画面の後に、（ｂ）のメニュー画面ではなく、（ａ）の曲リスト画面に戻るのは、ユーザが連続的に異なる複数の曲をプレイリストに登録する場合に、（ａ）の曲リスト画面に戻る方が利便性がよいからである。
【００３２】
しかし、この場合に、ユーザが、（ａ）の曲リスト画面で選択された曲をプレイリストに登録した後に、同じ曲をプリセットにも登録する場合、図３（ａ）の曲リスト画面において、再度同じ曲を選択し、メニューキーを操作し、図３（ｂ）のメニュー画面を表示させる。そして、メニュー画面において、「４．プリセットに登録」が選択され、リモコンのエンターキーが操作され、選択された曲がプリセットにも登録され、図３（ｃ）の完了画面が表示される。以上のように、曲リスト画面で選択され曲をプレイリストおよびプリセットの両方に登録する場合、プレイリストに曲を登録後に、（ａ）の曲リスト画面に戻ると、再度曲リストから同じ曲を選択し、メニューキーを再度操作する必要があり、その処理が煩雑であるという問題がある。図３に示すように、曲リスト画面で曲が選択され、最初にプリセットに登録された後に、図２に示すように、同じ曲がプレイリストに登録される場合も同様の問題が生じる。
【００３３】
そこで、本実施形態では、プレイリストへの登録処理の実行、プリセットへの登録処理の実行、その他の処理の実行の順番をメモリ３内で管理しておき、その順番に基づいてユーザ操作の傾向を把握し、プレイリストへの登録が完了した後に、（ａ）の曲リスト画面に戻った方が利便性がよいか、（ｂ）のメニュー画面に戻った方が利便性がよいかを判断する。図４は、本例の画面遷移を示す。プレイリストへの登録の後に同じ曲がプリセットにも登録される傾向にあれば（詳細には、プレイリストへの登録の後に同じ曲がプリセットにも登録されることが所定回数以上連続する場合）、プレイリストへの登録が完了した後、同じ曲がプリセットにも登録される可能性が高いので、デフォルトとは異なり、図４（ｃ）の完了画面から、図４（ａ）の曲リスト画面ではなく、図４（ｂ）のメニュー画面に戻るようにする。このとき、好ましくは、「４．プリセットに登録」が自動的に選択されるとよい。
【００３４】
一方、プレイリストへの登録の後に同じ曲がプリセットにも登録される傾向にない場合、デフォルト通り、図２（ｃ）の完了画面から図２（ａ）の曲リスト画面に戻るようにする。例えば、プリセットへの登録の後に同じ曲がプレイリストにも登録される傾向にある場合、プレイリストへの登録が完了した後、他の曲が選択されてプリセットに登録される可能性が高いので、デフォルト通り、図２（ｃ）の完了画面から図２（ａ）の曲リスト画面に戻るようにする。
【００３５】
また、その順序に基づいてユーザ操作の傾向を把握し、プリセットへの登録が完了した後に、（ａ）の曲リスト画面に戻った方が利便性がよいか、（ｂ）のメニュー画面に戻った方が利便性がよいかを判断する。図５は、本例の画面遷移を示す。つまり、プリセットへの登録の後に同じ曲がプレイリストにも登録されている傾向にあれば（詳細には、プリセットへの登録の後に同じ曲がプレイリストにも登録されることが所定回数以上連続する場合）、プリセットへの登録が完了した後、同じ曲がプレイリストにも登録される可能性が高いので、デフォルトとは異なり、図５（ｃ）の完了画面から、図５（ａ）の曲リスト画面ではなく、図５（ｂ）のメニュー画面に戻るようにする。このとき、好ましくは、「１．プレイリストに追加」が自動的に選択されるとよい。
【００３６】
一方、プリセットへの登録の後に同じ曲がプレイリストにも登録されている傾向になければ、プリセットへの登録が完了した後、デフォルト通り、図３（ｃ）の完了画面から、図３（ａ）の曲リスト画面に戻るようにする。例えば、プレイリストへの登録の後に同じ曲がプリセットにも登録されている傾向にあれば、プリセットへの登録が完了した後、他の曲が選択されてプレイリストに登録される可能性が高いので、デフォルト通り、図３（ａ）曲リスト画面に戻るようにする。
【００３７】
メモリ３には、図６（図６Ａ〜図６Ｄ）に示す履歴ファイルが格納されている。履歴ファイルは、プレイリストへの登録処理、プリセットへの登録処理、その他の処理が実行された順番を管理するファイルである。履歴フィルには、履歴データとして、プレイリストへの登録が実行された場合に１が、プリセットへの登録が実行された場合に２が、その他の処理が実行された場合に０が登録される。図において、上側が古い履歴データであり、下側が新しい履歴データである。また、履歴ファイルには、プレイリストへの登録、又は、プリセットへの登録が実行された場合に、登録された曲（つまり、曲リストで選択された曲）を特定するための曲特定情報が登録される。曲特定情報は、曲名、ファイル名、曲ＩＤ等の曲を一意に特定できる情報である。制御部２は、履歴ファイルから履歴データを新しい順に抽出し、ユーザ操作の傾向を把握する。
【００３８】
特に限定されないが、制御部２は、選択された曲がプレイリストに登録された後、同じ曲がプリセットにも登録される処理が所定回数以上連続する状態と、選択された曲がプリセットに登録された後、同じ曲がプレイリストにも登録される処理が所定回数以上連続する状態とのうちどちらが直近（最近）に生じているかを判断する。選択された曲がプレイリストに登録された後、同じ曲がプリセットにも登録される処理が所定回数以上連続する状態の方が直近に生じている場合には、選択された曲がプレイリストに登録された後、同じ曲がプリセットにも登録される処理が所定回数以上連続すると判断する。一方、選択された曲がプリセットに登録された後、同じ曲がプレイリストにも登録される処理が所定回数以上連続する状態の方が直近に生じている場合には、選択された曲がプリセットに登録された後、同じ曲がプレイリストにも登録される処理が所定回数以上連続と判断する。
【００３９】
以下、本実施形態の動作を説明する。図７は、制御部２による履歴ファイルへの登録処理を示す。制御部２は、ユーザ操作によってエンターキーが操作されたか否か（つまり、決定指示が入力されたか否か）を判断する（Ｓ１）。エンターキーが操作された場合（Ｓ１でＹＥＳ）、（ｂ）のメニュー画面において、「１．プレイリストに追加」（又は、プレイリスト画面からメニュー画面に入った場合には「プレイリストから削除」、以下同様。）が選択されているか否かを判断する（Ｓ２）。「１．プレイリストに追加」が選択されているときにエンターキーが操作された場合（Ｓ２でＹＥＳ）、制御部２は、履歴ファイルに履歴データとして１を登録し、選択されている曲の曲特定情報を登録する（Ｓ３）。
【００４０】
「１．プレイリストに追加」が選択されていないときにエンターキーが操作された場合（Ｓ２でＮＯ）、制御部２は、（ｃ）の完了画面において「ＯＫ」が選択されているときにエンターキーが操作されたか否かを判断する（Ｓ４）。（ｃ）の完了画面で「ＯＫ」が選択されていないときにエンターキーが操作された場合（Ｓ４でＮＯ）、処理を終了する。（ｃ）の完了画面で「ＯＫ」が選択されているときにエンターキーが操作された場合（Ｓ４でＹＥＳ）、制御部２は、「１．プレイリストに追加」の完了画面において「ＯＫ」が選択されたか否かを判断する（Ｓ５）。「１．プレイリストに追加」の完了画面において「ＯＫ」が選択された場合（Ｓ５でＹＥＳ）、既にＳ３において履歴データとして１を履歴ファイルに登録済みであるので、処理を終了する。
【００４１】
「１．プレイリストに追加」の完了画面において「ＯＫ」が選択されたのではない場合（Ｓ５でＮＯ）、「４．プリセットに登録」の完了画面において「ＯＫ」が選択されたか否かを判断する（Ｓ６）。「４．プリセットに登録」の完了画面において「ＯＫ」が選択された場合（Ｓ６でＹＥＳ）、制御部２は、履歴ファイルに履歴データとして２を登録し、選択されている曲の曲特定情報を登録する（Ｓ７）。一方、「４．プリセットに登録」の完了画面ではない画面で「ＯＫ」が選択された場合（Ｓ６でＮＯ）、制御部２は、履歴ファイルに履歴データとして０を登録する（Ｓ８）。以上の処理によって、図６Ａ〜図６Ｄに示すように、プレイリストへの登録が実行された場合に履歴データとして１が登録され、プリセットへの登録が実行された場合に履歴データとして２が登録され、その他の処理が実行された場合に履歴データとして０が登録される。
【００４２】
図８は、図６Ａ〜図６Ｄの履歴ファイルのタイプを判別する制御部２の処理を示す。制御部２は、履歴ファイルの新しい方（図６の下側）から順に同一曲が２つずつ続く状態が所定回数（例えば５回）以上連続するか否かを判断する（Ｓ１０１）。例えば、図６Ａおよび図６Ｂのように、履歴ファイルの新しい方から順に同一曲が２つずつ続く状態が５回以上連続する場合（Ｓ１０１でＹＥＳ）、制御部２はタイプＡと判断し、メモリ３に記憶する（Ｓ１０２）。一方、履歴ファイルの新しい方から順に同一曲が２つずつ続く状態が５回以上連続しない場合（Ｓ１０１でＮＯ）、制御部２は、履歴ファイルの最も新しいデータを除き、履歴ファイルの２番目に新しい方（図６の下側）から順に同一曲が２つずつ続く状態が所定回数（例えば５回）以上連続するか否かを判断する（Ｓ１０３）。図６Ｃおよび図６Ｄのように、履歴ファイルの最も新しいデータを除き、履歴ファイルの２番目に新しい方から順に同一曲が２つずつ続く状態が５回以上連続する場合（Ｓ１０３でＹＥＳ）、制御部２はタイプＢと判断し、メモリ３に記憶する（Ｓ１０４）。履歴ファイルの最も新しいデータを除き、履歴ファイルの２番目に新しい方から順に同一曲が２つずつ続く状態が５回以上連続しない場合（Ｓ１０３でＮＯ）、図９のＳ１５に進む。
【００４３】
図９は、ユーザ操作の傾向ReturnTypeを判別する制御部２の処理を示す。制御部２は、プリセット登録を実行した後、同じ曲をプレイリストに登録する処理が連続した回数を示すPreset_playlist_count、プレイリスト登録を実行した後、同じ曲をプリセット登録する処理が連続した回数を示すPlaylist_preset_countをそれぞれ０に初期化する（Ｓ１１）。制御部２は、図８の処理の結果、履歴ファイルのタイプがタイプＢであるか否かを判断する（Ｓ１２）。タイプＢでない場合（Ｓ１２でＮＯ）、Ｓ１３に進み、タイプＢである場合（Ｓ１２でＹＥＳ）、Ｓ３１に進み、ReturnTypeをother（その他）に決定する。タイプのＢの場合は、ReturnTypeによらず、必ず（ａ）の曲リスト画面に戻る必要があるので、後述の処理によってReturnTypeを判断する必要がないからである。
【００４４】
Ｓ１３において、制御部２は、履歴ファイルの中から新しい順に履歴データを１つ抽出する（Ｓ１３）。制御部２は、抽出した履歴データが０であるか否かを判断する（Ｓ１４）。０であれば（Ｓ１４でＹＥＳ）、制御部２は、ReturnTypeをother（その他）に決定し（Ｓ１５）、履歴ファイルに登録されている全履歴データを消去する（Ｓ１６）。
【００４５】
履歴データが０でなければ（Ｓ１４でＮＯ）、制御部２は、履歴データが１であるか否かを判断する（Ｓ１７）。履歴データが１であれば（Ｓ１７でＹＥＳ）、制御部２は、連続する２つの履歴データを一時的に格納するための一時リストtemListに履歴データ１を登録する（Ｓ１８）。一方、履歴データが２であれば（Ｓ１７でＮＯ）、制御部２は、temListに履歴データ２を登録する（Ｓ１９）。
【００４６】
制御部２は、temListに２つの履歴データが登録済みであるか否かを判断する（Ｓ２０）。未だ２つの履歴データが登録されていない場合（Ｓ２０でＮＯ）、制御部２は、履歴ファイル内の全ての履歴データを、確認済みかを判断する（Ｓ３０）。履歴ファイル内の全ての履歴データを確認済みである場合（Ｓ３０でＹＥＳ）、制御部２は、ReturnTypeをother（その他）に決定する（Ｓ３１）。一方、未だ履歴ファイル内の全ての履歴データを確認済みでない場合（Ｓ３０でＮＯ）、Ｓ１３に戻り、履歴ファイル内の次に新しい履歴データが抽出される。
【００４７】
Ｓ２０において、２つの履歴データが登録されている場合（Ｓ２０でＹＥＳ）、制御部２は、temlistに後に登録された方から１、２の順番で登録されているか否かを判断する（Ｓ２１）。つまり、２つの履歴データについて、プレイリストへの登録が実行された後、プリセットへの登録が実行されているか否かが判断される。１、２の順番で登録されている場合（Ｓ２１でＹＥＳ）、制御部２は、Playlist_preset_countを１増加（インクリメント）し、Preset_playlist_countを０にクリアする（Ｓ２２）。その後、制御部２は、temListをクリアする（Ｓ２３）。
【００４８】
一方、１、２の順番で登録されていない場合（Ｓ２１でＮＯ）、制御部２は、temlistに後に登録された方から２、１の順番で登録されているか否かを判断する（Ｓ２４）。つまり、プリセットへの登録が実行された後、プレイリストへの登録が実行されているか否かが判断される。２、１の順番で登録されていない場合（Ｓ２４でＮＯ）、ReturnTypeをother（その他）に決定し（Ｓ１５）、履歴ファイルをクリアする（Ｓ１６）。２、１の順番で登録されている場合（Ｓ２４でＹＥＳ）、制御部２は、Preset_playlist_countを１増加（インクリメント）し、Playlist_preset_countを０にクリアする（Ｓ２５）。その後、制御部２は、temListをクリアする（Ｓ２３）。
【００４９】
Ｓ２３の後、制御部２は、Playlist_preset_countが所定回数（例えば５回）であるか否かを判断する（Ｓ２６）。つまり、同じ曲について、プレイリストへの登録が実行された後、プリセットへの登録が実行されている状態が５回連続したか否かが判断される。Playlist_preset_countが５である場合（Ｓ２６でＹＥＳ）、制御部２は、ReturnTypeをPlaylist_preset（プレイリストへの登録後に、プリセットへの登録が実行される傾向）に決定する。
【００５０】
Playlist_preset_countが５でない場合（Ｓ２６でＮＯ）、制御部２は、Preset_playlist_countが所定回数（例えば５）であるか否かを判断する（Ｓ２８）。つまり、同じ曲について、プリセットへの登録が実行された後、プレイリストへの登録が実行されている状態が５回連続したか否かが判断される。Preset_playlist_countが５である場合（Ｓ２８でＹＥＳ）、制御部２は、ReturnTypeをPreset_playlist（プリセットへの登録後に、プレイリストへの登録が実行される傾向）に決定する。
【００５１】
Preset_playlist_countが５でない場合（Ｓ２８でＮＯ）、制御部２は、履歴ファイル内の全ての履歴データを確認済みか否かを判断する（Ｓ３０）。履歴ファイル内の全ての履歴データを確認済みである場合（Ｓ３０でＹＥＳ）、制御部２は、ReturnTypeをother（その他）に決定する（Ｓ３１）。一方、未だ履歴ファイル内の全ての履歴データを確認済みでない場合（Ｓ３０でＮＯ）、処理はＳ１３に戻り、履歴ファイル内の次に新しい履歴データが抽出される。
【００５２】
図１０は、完了画面で「ＯＫ」ボタンが操作された場合の制御部２の処理を示す。制御部２は、完了画面で「ＯＫ」ボタン選択され、エンターキーが操作されたか否かを判断している（Ｓ４１）。「ＯＫ」ボタンが選択され、エンターキーが操作された場合（Ｓ４１でＹＥＳ）、「１．プレイリストに追加」の完了画面であるか否かを判断する（Ｓ４２）。「１．プレイリストに追加」の完了画面でなければ（Ｓ４２でＮＯ）、Ｓ４１に戻る。
【００５３】
「プレイリストに追加」の完了画面であれば（Ｓ４２でＹＥＳ）、制御部２は、図８の処理の結果、履歴ファイルのタイプがタイプＡであるか否かを判断する（Ｓ４３）。タイプＡでなければ（Ｓ４３でＮＯ）、制御部２は、デフォルトの通り、図２（ｃ）の完了画面から、図２（ａ）の曲リスト画面に戻る（Ｓ４７）。例えば、図６ＣのようなタイプＢの場合、直近にはトラックＣがプレイリストに登録されており、今回の処理で異なるトラックＤがプレイリストに登録されると、もはや、プレイリストへの登録後に、同じ曲がプリセットにも登録される状態ではなくなるので、デフォルトの曲リスト画面に戻ればよい。また、図６ＤのようなタイプＢの場合、直近にはトラックＣがプリセットに登録されており、今回の処理で同じトラックＣがプレイリストにも登録される場合には、連続性を維持したとしても、次は異なる曲がプレイリストに登録される番であるので、曲リスト画面に戻ればよい。
【００５４】
Ｓ４３でタイプＡである場合（Ｓ４３でＹＥＳ）、制御部２は、ReturnTypeがPlaylist_presetであるか否かを判断する（Ｓ４４）。図６Ａの場合のように、ReturnTypeがPlaylist_presetであれば（Ｓ４４でＹＥＳ）、制御部２は、デフォルトと異なり、図４（ｃ）の完了画面から、図４（ｂ）のメニュー画面に戻る（Ｓ４５）。そして、制御部２は、図４（ｂ）に示すように、「４．プリセットに登録」を自動的に選択する（Ｓ４６）。つまり、ReturnTypeがPlaylist_presetであれば、「１．プレイリストに追加」の完了画面の後に、ユーザは同じ曲をプリセットにも登録すると推定されるので、このような画面遷移を行うことにより、ユーザ操作の簡便化を図ることができる。
【００５５】
一方、図６Ｂの場合のように、ReturnTypeがPlaylist_presetでなく、Preset_playlistまたはotherである場合（Ｓ４４でＮＯ）、制御部２は、デフォルトの通り、図２（ｃ）の完了画面から図２（ａ）の曲リスト画面に戻る（Ｓ４７）。つまり、ReturnTypeがPreset_playlistであれば、「１．プレイリストに追加」の完了画面の後に、ユーザは他の曲を曲リスト画面から選択し、プリセットに登録すると推定されるので、このような画面遷移を行うことにより、ユーザ操作の簡便化を図ることができる。
【００５６】
図１１は、完了画面で「ＯＫ」ボタンが操作された場合の制御部２の処理を示す。制御部２は、完了画面で「ＯＫ」ボタン選択され、エンターキーが操作されたか否かを判断している（Ｓ５１）。「ＯＫ」ボタンが選択され、エンターキーが操作された場合（Ｓ５１でＹＥＳ）、「４．プリセットに登録」の完了画面であるか否かを判断する（Ｓ５２）。「４．プリセットに登録」の完了画面でなければ（Ｓ５２でＮＯ）、Ｓ５１に戻る。
【００５７】
「４．プリセットに登録」の完了画面であれば（Ｓ５２でＹＥＳ）、制御部２は、図８の処理の結果、履歴ファイルのタイプがタイプＡであるか否かを判断する（Ｓ５３）。タイプＡでなければ（Ｓ５３でＮＯ）、制御部２は、デフォルトの通り、図３（ｃ）の完了画面から、図３（ａ）の曲リスト画面に戻る（Ｓ５７）。例えば、図６ＤのようなタイプＢの場合、直近にはトラックＣがプリセットに登録されており、今回の処理で異なるトラックＤがプリセットに登録されると、もはや、プリセットへの登録後に、同じ曲がプレイリストにも登録される状態ではなくなるので、デフォルトの曲リスト画面に戻ればよい。また、図６ＣのようなタイプＢの場合、直近にはトラックＣがプレイリストに登録されており、今回の処理で同じトラックＣがプリセットにも登録される場合には、連続性を維持したとしても、次は異なる曲がプレイリストに登録される番であるので、曲リスト画面に戻ればよい。
【００５８】
Ｓ５３でタイプＡである場合（Ｓ５３でＹＥＳ）、制御部２は、ReturnTypeがPreset_playlistであるか否かを判断する（Ｓ５４）。図６Bの場合のように、ReturnTypeがPreset_playlistであれば（Ｓ５４でＹＥＳ）、制御部２は、デフォルトと異なり、図５（ｃ）の完了画面から、図５（ｂ）のメニュー画面に戻る（Ｓ５５）。そして、制御部２は、図５（ｂ）に示すように、「１．プレイリストに追加」を自動的に選択する（Ｓ５６）。つまり、ReturnTypeがPreset_playlistであれば、「４．プリセットに登録」の完了画面の後に、ユーザは同じ曲をプレイリストにも登録すると推定されるので、このような画面遷移を行うことにより、ユーザ操作の簡便化を図ることができる。
【００５９】
一方、図６Ａの場合のように、ReturnTypeがPreset_playlistでなく、Playlist_presetまたはotherである場合（Ｓ５４でＮＯ）、制御部２は、デフォルトの通り、図３（ｃ）の完了画面から図３（ａ）の曲リスト画面に戻る（Ｓ５７）。つまり、ReturnTypeがPlaylist_presetであれば、「４．プリセットに登録」の完了画面の後に、ユーザは他の曲を曲リスト画面から選択し、プレイリストに登録すると推定されるので、このような画面遷移を行うことにより、ユーザ操作の簡便化を図ることができる。
【００６０】
以上のように、本実施形態によると、ユーザ操作の傾向を把握することにより、デフォルトと異なり、メニュー画面に戻ることにより、ユーザ操作を簡便化することができる。
【００６１】
次に、本発明の別の好ましい実施形態を説明する。図１２は、本例において、デフォルト状態における、曲リスト画面、メニュー画面および完了画面の遷移を示す図である。図１２（ａ）に示すように、曲リスト画面において曲名（図ではトラックＣ）が選択され、ユーザ操作によってメニューキーが操作されると、図１２（ｂ）に示すように、選択された曲についてメニュー画面が表示される。メニュー画面で「１．プレイリストに追加」が選択され、エンターキーが操作されると、選択された曲がプレイリストに登録される。プレイリストへの曲の登録が完了すると、図１２（ｃ）に示すように完了画面が表示される。完了画面において、ユーザ操作によって「ＯＫ」ボタンが選択され、リモコンのエンターキー又はリターンキーが操作されると、図１２（ｂ）のメニュー画面に戻る。ここで、（ｃ）の完了画面の後に、（ｂ）のメニュー画面に戻るのは、ユーザが選択された曲をプレイリストに登録した後、同じ曲をプリセットにも登録することを考慮し、（ｂ）のメニュー画面に戻る方が利便性がよいからである。
【００６２】
しかし、この場合において、ユーザが曲を選択しプレイリストに登録した後、異なる曲をプレイリストに登録する処理を繰り返したい場合には、同じ曲のメニュー画面に戻ってしまうと、リターンキーを操作し、（ａ）の曲リスト画面に戻る必要が生じ、その操作が非常に煩雑になる。なお、曲リストから連続的に曲を選択しプリセットに登録する処理を実行する際や、プレイリストから連続的に曲を選択し、プレイリストから曲を削除する場合も同様である。
【００６３】
そこで、本実施形態では、プレイリストへの登録処理、及び、その他の処理が実行された順番をメモリ３内で管理しておき、ユーザ操作の傾向を把握し、プレイリストへの登録が完了した後に、（ａ）曲リスト画面に戻った方が利便性がよいか、デフォルト通りに（ｂ）メニュー画面に戻った方が利便性がよいかを判断する。つまり、プレイリストへの登録処理が所定回数以上連続的に実行されているのであれば、プレイリストへの登録が完了した後、曲リストから他の曲を選択しプレイリストに登録されると推定されるので、デフォルトとは異なり、図１３（ｃ）の完了画面から図１３（ａ）の曲リスト画面に戻るようにする。一方、プレイリストへの登録処理が所定回数以上連続的に実行されているのでなければ、プレイリストへの登録が完了した後、曲リストから他の曲を選択しプレイリストに登録されると推定できないので、デフォルト通り、図１２（ｃ）の完了画面から図１２（ｂ）のメニュー画面に戻るようにする。
【００６４】
メモリ３には、図１４に示す履歴ファイルが格納されている。履歴ファイルは、プレイリストへの登録処理、および、その他の処理が実行された順番を管理するファイルである。履歴フィルには、履歴データとして、プレイリストへの登録が実行された場合に１が、その他の処理が実行された場合に０が登録される。図１４において、上側が古いデータであり、下側が新しいデータである。履歴ファイル内において履歴データ１が所定回数（例えば５回）以上継続した場合に、プレイリストの登録処理が連続して実行されていると判断される。
【００６５】
以下、本実施形態の動作を説明する。図１５は、制御部２による履歴ファイルの登録処理を示す。制御部２は、ユーザ操作によってエンターキーが操作されたか否かを判断する（Ｓ６１）。エンターキーが操作された場合（Ｓ６１でＹＥＳ）、（ｂ）のメニュー画面において、「１．プレイリストに追加」（又は、プレイリスト画面からメニュー画面に入った場合には「プレイリストから削除」、以下同様。）が選択されているか否かを判断する（Ｓ６２）。プレイリストに追加が選択されている場合（Ｓ６２でＹＥＳ）、制御部２は、履歴ファイルに履歴データとして１を登録する（Ｓ６３）。
【００６６】
「１．プレイリストに追加」が選択されていない場合（Ｓ６２でＮＯ）、制御部２は、（ｃ）の完了画面において「ＯＫ」が選択されているか否かを判断する（Ｓ６４）。（ｃ）の完了画面で「ＯＫ」が選択されていない場合（Ｓ６４でＮＯ）、処理を終了する。（ｃ）完了画面で「ＯＫ」が選択されている場合（Ｓ６４でＹＥＳ）、制御部２は、「１．プレイリストに追加」の完了画面において「ＯＫ」が選択されたか否かを判断する（Ｓ６５）。「１．プレイリストに追加」の完了画面において「ＯＫ」が選択された場合（Ｓ６５でＹＥＳ）、既にＳ６３において履歴データとして１を履歴ファイルに登録済みであるので、処理を終了する。
【００６７】
「１．プレイリストに追加」の完了画面において「ＯＫ」が選択されたのではない場合（Ｓ６５でNO）、制御部２は、履歴ファイルに履歴データとして０を登録する（Ｓ６６）。以上の処理によって、プレイリストへの登録が実行された場合に履歴データとして１が登録され、その他の処理が実行された場合に履歴データとして０が登録される。なお、プリセットに登録された場合の履歴ファイルのする場合も同様である。
【００６８】
図１６は、完了画面で「ＯＫ」ボタンが操作された場合の制御部２の処理を示す。制御部２は、完了画面で「ＯＫ」ボタン選択され、エンターキーが操作されたか否かを判断している（Ｓ７１）。「ＯＫ」ボタンが選択され、エンターキーが操作された場合（Ｓ７１でＹＥＳ）、「１．プレイリストに追加」（又は「プレイリストから削除」、以下同様。）の完了画面であるか否かを判断する（Ｓ７２）。「１．プレイリストに追加」の完了画面でなければ（Ｓ７２でＮＯ）、Ｓ７１に戻る。
【００６９】
「１．プレイリストに追加」の完了画面であれば（Ｓ７２でＹＥＳ）、制御部２は、履歴ファイルから新しい順に（図１４では下側から）履歴データを１つ抽出する（Ｓ７３）。制御部２は、抽出した履歴データが１であるか否かを判断する（Ｓ７４）。履歴データが１でなければ（Ｓ７４でＮＯ）、連続してプレイリストへの登録が実行されているのではないので、制御部２は、履歴ファイルをクリアし（Ｓ７８）、デフォルト通りに図１２（ｃ）の完了画面から図１２（ｂ）に示すように同じ曲のメニュー画面に戻る（Ｓ８０）。
【００７０】
Ｓ７４で履歴データが１である場合（Ｓ７４でＹＥＳ）、履歴データ１が連続する回数を示す変数counterを１増加（インクリメント）する（Ｓ７５）。なお、counterは本処理の最初に０に初期化されている。次に、制御部２は、counterが所定回数（本例では５）であるか否かを判断する（Ｓ７６）。つまり、プレイリストへの登録が５回以上連続しているか否かが判断される。counterが５であれば（Ｓ７６でＹＥＳ）、制御部２は、デフォルトとは異なり、図１３（ｃ）の完了画面から、図１３（ａ）の曲リスト画面に戻る（Ｓ７７）。プレイリストへの登録が５回以上連続しているので、次も他の曲が曲リスト画面から選択されプレイリストに登録されると推定される。従って、曲リスト画面に戻ることによって、ユーザ操作を簡便化することができる。
【００７１】
一方、counterが５ではない（つまり、５未満である）場合（Ｓ７６でＮＯ）、制御部２は、履歴ファイル内の全履歴データを確認済みであるか否かを判断する（Ｓ７９）、未だ全履歴データを確認済みでない場合（Ｓ７９ＮＯ）、処理はＳ７３に戻り、次に新しい履歴データが履歴ファイルから抽出され（Ｓ７３）、同じ処理が実行される。一方、全履歴データを確認済みである場合（Ｓ７９でＹＥＳ）、プレイリストへの登録が５回以上連続していていないので、他の曲が曲リスト画面から選択されプレイリストに登録されると推定できず、制御部２は、デフォルト通りに、図１２（ｃ）の完了画面から図１２（ｂ）に示すように同じ曲のメニュー画面に戻る（Ｓ８０）。
【００７２】
以上、本発明の好ましい実施形態を説明したが、本発明はこれらの実施形態には限定されない。本発明は、ＰＣや携帯型音楽再生装置等において、ＨＤＤ等の記憶媒体に記録されている曲をプレイリストやプリセットに登録する場合にも適用され得る。プレイリストとプリセットへの登録ではなく、第１プレイリストへと第２プレイリストへの登録であってもよい。上記のリスト登録装置をコンピュータに実行させるためのコンピュータプログラムまたはそのコンピュータプログラムを記録した記録媒体という形態で提供されてもよい。
【産業上の利用可能性】
【００７３】
本発明は、ＡＶアンプ等に好適に採用され得る。
【符号の説明】
【００７４】
１              ＡＶアンプ
２              制御部
３              メモリ
４              再生部
５              増幅部
６              操作部
７              表示部
８              通信部
【図１】
2011160248.tif 000003
【図６Ａ】
2011160248.tif 000004
【図６Ｂ】
2011160248.tif 000005
【図６Ｃ】
2011160248.tif 000006
【図６Ｄ】
2011160248.tif 000007
【図７】
2011160248.tif 000008
【図８】
2011160248.tif 000009
【図９】
2011160248.tif 000010
【図１０】
2011160248.tif 000011
【図１１】
2011160248.tif 000012
【図１４】
2011160248.tif 000013
【図１５】
2011160248.tif 000014
【図１６】
2011160248.tif 000015
【図２】
2011160248.tif 000016
【図３】
2011160248.tif 000017
【図４】
2011160248.tif 000018
【図５】
2011160248.tif 000019
【図１２】
2011160248.tif 000020
【図１３】
2011160248.tif 000021